(57)【要約】【課題】この発明は、操作ガイドのコンテンツのページの切り換えを、カーソルキーを操作するだけで行なえるようになるテレビ放送受信機を提供することを目的とする。【解決手段】上下左右カーソルキーを含む操作部と、複数ページのコンテンツから構成される操作ガイドを表示する機能を備えたテレビ放送受信機において、操作ガイドを構成する複数ページのコンテンツのうち、任意のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられる。【選択図】図４
2007243746.tif 000002
【特許請求の範囲】
【請求項１】
上下左右カーソルキーを含む操作部と、複数ページのコンテンツから構成される操作ガイドを表示する機能を備えたテレビ放送受信機において、
操作ガイドを構成する複数ページのコンテンツのうち、任意のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられることを特徴とするテレビ放送受信機。
【請求項２】
上下左右カーソルキーを含む操作部と、複数ページのコンテンツから構成される操作ガイドを表示する機能を備えたテレビ放送受信機において、
操作ガイドを構成する複数ページのコンテンツのうち、最終ページ以外のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、
最終ページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、当該操作ガイドによって操作説明されている操作を実際に行なうための画面に遷移させるためのキーとしての機能が割り当てられることを特徴とするテレビ放送受信機。    
【請求項３】
上下左右カーソルキーを含む操作部と、複数ページのコンテンツから構成される操作ガイドを表示する機能および各ページのコンテンツに対応した音声ガイダンスを再生する機能を備えたテレビ放送受信機において、
操作ガイドを構成する複数ページのコンテンツのうち、任意のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、上下左右カーソルキーのうちの第１キーおよび第２キー以外のいずれか１つの第３キーに、音声ガイダンスを再生させるためのキーとしての機能が割り当てられることを特徴とするテレビ放送受信機。
【請求項４】
上下左右カーソルキーを含む操作部と、複数ページのコンテンツから構成される操作ガイドを表示する機能および各ページのコンテンツに対応した音声ガイダンスを再生する機能を備えたテレビ放送受信機において、
操作ガイドを構成する複数ページのコンテンツのうち、最終ページ以外のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、上下左右カーソルキーのうちの第１キーおよび第２キー以外のいずれか１つの第３キーに、音声ガイダンスを再生させるためのキーとしての機能が割り当てられ、
最終ページのコンテンツが表示されている状態においては、上下左右カーソルキーのうちのいずれか１つの第１キーに、前ページに表示ページを切り換えるための機能が割り当てられ、上下左右カーソルキーのうちの第１キー以外のいずれか１つの第２キーに、音声ガイダンスを再生させるためのキーとしての機能が割り当てられ、上下左右カーソルキーのうちの第１キーおよび第２キー以外のいずれか１つの第３キーに、当該操作ガイドによって操作説明されている操作を実際に行なうための画面に遷移させるためのキーとしての機能が割り当てられることを特徴とするテレビ放送受信機。
【請求項５】
複数の項目それぞれに対して操作ガイドが用意されていおり、いずれの項目の操作ガイドを表示するかを選択させるためのインデックス画面を表示する機能をも備えた請求項１乃至４に記載のテレビ放送受信機において、
操作ガイドを構成する複数ページのコンテンツのうち、任意のページのコンテンツが表示されている状態において、上下左右カーソルのうちの１つのキーに、インデックス画面に遷移させるためのキーとしての機能が割り当てられることを特徴とする請求項１乃至４に記載のテレビ放送受信機。
【請求項６】
操作ガイドを構成する各ページのコンテンツ内に、どのカーソルキーにどのような機能が割り当てられているかを示す内容が含まれていることを特徴とする請求項１乃至５に記載のテレビ放送受信機。
【発明の詳細な説明】
【技術分野】
【０００１】
この発明は、テレビ放送受信機に関する。
【背景技術】
【０００２】
デジタルテレビ放送受信機では、メニュー上の選択項目を選択する場合には、リモコン送信機上の左右上下カーソルキーで希望する項目を仮選択し、リモコン送信機上の決定キーを押すといった操作が一般的に行なわれている。
【０００３】
ところで、デジタルテレビ放送受信機には、設定方法や録画方法等を説明するための受信機操作ガイドを表示する機能を備えたものがある。このような受信機操作ガイドは、各項目につき、通常、複数ページのコンテンツから構成されていることが多い。このため、１つの項目に対する操作ガイドを見るためには、ページを切り換えるための操作が必要となる。このページを切り換えるためには、たとえば、左または右カーソルキーを押して、決定キーを押すといった、２回のアクションが必要であり、素早くページを切り換えることができない。このため、操作方法の習得に集中できなくなり、操作方法の習得に多くの時間を費やしてしまうことがある。
【０００４】
また、受信操作ガイドのコンテンツを説明するための音声ガイダンスを再生出力する機能を備えた受信機もある。このような受信機では、音声ガイダンスの再生指令を入力するためのキーを、カラーキー（青色、緑色、赤色、黄色のキー）に割り当てることが考えられるが、そうすると、カーソルキー以外のキーを操作する必要があり、操作が複雑となってしまう。
【発明の開示】
【発明が解決しようとする課題】
【０００５】
この発明は、操作ガイドのコンテンツのページの切り換えを、カーソルキーを操作するだけで行なえるようになるテレビ放送受信機を提供することを目的とする。
【０００６】
また、この発明は、操作ガイドのコンテンツのページの切り換えや、音声ガイダンスの再生を、カーソルキーを操作するだけで行なえるようになるテレビ放送受信機を提供することを目的とする。
【０００７】
また、この発明は、操作ガイドを構成する複数ページのコンテンツのうちの最終ページのコンテンツが表示されている状態において、カーソルキーを操作するだけで、当該操作ガイドによって操作説明されている操作を実際に行なうための画面に遷移させることができるようになるテレビ放送受信機を提供することを目的とする。
【課題を解決するための手段】
【０００８】
請求項１に記載の発明は、上下左右カーソルキーを含む操作部と、複数ページのコンテンツから構成される操作ガイドを表示する機能を備えたテレビ放送受信機において、操作ガイドを構成する複数ページのコンテンツのうち、任意のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられることを特徴とする。
【０００９】
請求項２に記載の発明は、上下左右カーソルキーを含む操作部と、複数ページのコンテンツから構成される操作ガイドを表示する機能を備えたテレビ放送受信機において、操作ガイドを構成する複数ページのコンテンツのうち、最終ページ以外のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、最終ページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、当該操作ガイドによって操作説明されている操作を実際に行なうための画面に遷移させるためのキーとしての機能が割り当てられることを特徴とする。
【００１０】
請求項３に記載の発明は、上下左右カーソルキーを含む操作部と、複数ページのコンテンツから構成される操作ガイドを表示する機能および各ページのコンテンツに対応した音声ガイダンスを再生する機能を備えたテレビ放送受信機において、操作ガイドを構成する複数ページのコンテンツのうち、任意のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、上下左右カーソルキーのうちの第１キーおよび第２キー以外のいずれか１つの第３キーに、音声ガイダンスを再生させるためのキーとしての機能が割り当てられることを特徴とする。
【００１１】
請求項４に記載の発明は、上下左右カーソルキーを含む操作部と、複数ページのコンテンツから構成される操作ガイドを表示する機能および各ページのコンテンツに対応した音声ガイダンスを再生する機能を備えたテレビ放送受信機において、操作ガイドを構成する複数ページのコンテンツのうち、最終ページ以外のページのコンテンツが表示されている状態においては、上下左右カーソルキーのうちのいずれか１つの第１キーに、前ページに表示ページを切り換えるためのキーとしての機能が割り当てられ、上下左右カーソルキーのうちの第１キー以外のいずれか１つの第２キーに、次ページに表示ページを切り換えるためのキーとしての機能が割り当てられ、上下左右カーソルキーのうちの第１キーおよび第２キー以外のいずれか１つの第３キーに、音声ガイダンスを再生させるためのキーとしての機能が割り当てられ、最終ページのコンテンツが表示されている状態においては、上下左右カーソルキーのうちのいずれか１つの第１キーに、前ページに表示ページを切り換えるための機能が割り当てられ、上下左右カーソルキーのうちの第１キー以外のいずれか１つの第２キーに、音声ガイダンスを再生させるためのキーとしての機能が割り当てられ、上下左右カーソルキーのうちの第１キーおよび第２キー以外のいずれか１つの第３キーに、当該操作ガイドによって操作説明されている操作を実際に行なうための画面に遷移させるためのキーとしての機能が割り当てられることを特徴とする。
【００１２】
請求項５に記載の発明は、複数の項目それぞれに対して操作ガイドが用意されていおり、いずれの項目の操作ガイドを表示するかを選択させるためのインデックス画面を表示する機能をも備えた請求項１乃至４に記載のテレビ放送受信機において、操作ガイドを構成する複数ページのコンテンツのうち、任意のページのコンテンツが表示されている状態において、上下左右カーソルのうちの１つのキーに、インデックス画面に遷移させるためのキーとしての機能が割り当てられることを特徴とする。
【００１３】
請求項６に記載の発明は、請求項１乃至５に記載のテレビ放送受信機において、操作ガイドを構成する各ページのコンテンツ内に、どのカーソルキーにどのような機能が割り当てられているかを示す内容が含まれていることを特徴とする。
【発明の効果】
【００１４】
この発明によれば、操作ガイドのコンテンツのページの切り換えを、カーソルキーを操作するだけで行なえるようになる。
【００１５】
また、この発明によれば、操作ガイドのコンテンツのページの切り換えや、音声ガイダンスの再生を、カーソルキーを操作するだけで行なえるようになる。
【００１６】
また、この発明によれば、操作ガイドを構成する複数ページのコンテンツのうちの最終ページのコンテンツが表示されている状態において、カーソルキーを操作するだけで、当該操作ガイドによって操作説明されている操作を実際に行なうための画面に遷移させることができるようになる。
【発明を実施するための最良の形態】
【００１７】
以下、図面を参照して、この発明の実施例について説明する。
【実施例１】
【００１８】
図１は、デジタルテレビ放送受信機の構成を示している。
【００１９】
放送波はアンテナ１を介してチューナ２に送られ、高周波処理および復調が行なわれる。チューナ２からの出力はＤＥＭＵＸ回路３に送られ、パケットの復号が行なわれる。ＤＥＭＵＸ回路３において、パケットは、番組内容そのものであるＡＶデータとサービス情報（ＳＩ情報）とに分別される。ＤＥＭＵＸ回路３によって得られたＡＶデータは、ＡＶデコーダ４に送られる。ＤＥＭＵＸ回路３によって得られたＳＩ情報はシステムコントローラ２０に送られる。
【００２０】
システムコントローラ２０は、プログラム等を記憶した不揮発性メモリ（プログラムメモリ）２１および必要なデータを記憶する揮発性メモリ２２を備えている。システムコントローラ２０は、ＤＥＭＵＸ回路３から送られてきたＳＩ情報を揮発性メモリ２２に格納する。システムコントローラ２０には、ハードディスク制御部２３を介してハードディスク２４が接続されている。ハードディスク２４には、録画番組の映像および音声データ、各種ＨＴＭＬコンテンツデータ、音声ガイダンスデータ等が格納される。また、システムコントローラ２０には、リモコン送信機３０からのリモコン信号（操作情報）がリモコン受光器２５を介して入力される。
【００２１】
システムコントローラ２０は、チューナ２およびＤＥＭＵＸ回路３に選局ための情報等を送る。また、システムコントローラ２０は、ＡＶデコーダ４を制御するためのＡＶ制御信号をＡＶデコーダ４に送る。
【００２２】
システムコントローラ２０は、番組ガイド（ＥＰＧ）、各種設定画面、各種操作ガイド画面をモニタ８にオンスクリーン表示させるためのＯＳＤ制御信号を、ＯＳＤ表示回路２６に送る。ＯＳＤ表示回路２６は、番組ガイド（ＥＰＧ）、各種設定画面、各種操作ガイド画面等の表示データ（オンスクリーン表示画面データ）を生成して、ＯＳＤ信号としてマルチプレクサ６に送る。
【００２３】
ＡＶデコーダ４は、ＤＥＭＵＸ回路３から送られてきたＡＶデータを復調する。ＡＶデコーダ４によって得られた音声信号は、音声処理回路９および音声出力回路１０を介してスピーカ１１に送られる。ＡＶデコーダ４によって得られた映像信号は、映像処理回路５を介してマルチプレクサ６に送られる。マルチプレクサ６は、映像処理回路５から出力された映像データにＯＳＤ表示回路２６から送られてきた表示データをスーパーインポーズ処理して、映像出力回路７に送る。映像出力回路７から出力された映像信号は、モニタ８に送られる。
【００２４】
このデジタルテレビ放送受信機は、当該受信機の操作方法を説明するための受信機操作ガイドをモニタに表示させる機能を備えている。受信機操作ガイドは、ＨＴＭＬ形式で作成されたコンテンツで構成されており、ハードディスク２４に格納されている。
【００２５】
図２は、リモコン送信機３０の一部分を示している。
【００２６】
リモコン送信機３０には、チャンネル切り換え用のアップダウンキー３１、音量調整用のアップダウンキー３２、メニューボタン（Menuボタン) ３３、戻るボタン３４、左右上下のカーソルキー３５Ｌ，３５Ｒ，３５Ｕ，３５Ｄ、決定キー３６、操作ガイドキー３７等が設けられている。
【００２７】
リモコン送信機３０の操作ガイドキー３７が押下げられると、操作ガイドキー３７に対応した操作情報がシステムコントローラ２０に入力される。システムコントローラ２０は、操作ガイドキー３７に対応した操作情報が入力すると、ハードディスク制御部２３に対して、受信機操作ガイドのインデックスページに対応するＨＴＭＬコンテンツデータの取得要求を行なう。ハードディスク制御部２３は、ハードディスク２４から該当するＨＴＭＬコンテンツデータを取得してシステムコントローラ２０に与える。システムコントローラ２０は、取得したＨＴＭＬコンテンツデータを表示できるデータに変換し、ＯＳＤ制御信号としてＯＳＤ表示回路２６に送る。ＯＳＤ表示回路２６は、ＯＳＤ制御信号に基づいて、オンスクリーン表示画面データを生成し、ＯＳＤ信号としてマルチプレクサ６に送る。マルチプレクサ６は、映像処理回路５から出力された映像データにＯＳＤ表示回路２６から送られてきたオンスクリーン表示画面データをスーパーインポーズ処理して、映像出力回路７に送る。映像出力回路７から出力された映像信号は、モニタ８に送られる。
【００２８】
図３は、操作ガイドキー３７が押下げられたときにモニタ８に表示される受信機操作ガイドのインデックスページの例を示している。
【００２９】
受信機操作ガイドのインデックスページには、操作ガイドの対象となる複数の項目が、選択項目として表示される。ユーザは、まず、操作方法を知りたい項目を左右上下のカーソルキー３５Ｌ，３５Ｒ，３５Ｕ，３５Ｄによって仮選択する。仮選択された項目がハイライト表示されることにより、どの項目が仮選択されているかがユーザにわかるようになっている。そして、決定キー３６を押下げることにより、仮選択された項目に対応する操作説明の１ページ目が表示されることになる。なお、各項目に対応する操作説明は、複数ページから構成されているものとする。また、操作説明の各ページ毎に、音声ガイダンスが用意されており、ユーザからの指示に基づいて音声ガイダンスを再生出力させることが可能となっている。
【００３０】
ここでは、インデックスページに表示されている各項目のうち、”Ａの設定方法について”の項目が選択された場合について説明する。
【００３１】
”Ａの設定方法について”の項目が選択さると、図４に示すように、当該項目の操作ガイドの１ページ目のコンテンツが表示される。なお、”Ａの設定方法について”の操作ガイドは、５ページ分のコンテンツから構成されている。図４のコンテンツの例においては、リモコン送信機３０上のキーを示す模式図と、”始めに、Menuボタンを押します。”の説明文とによって、操作説明が行なわれている。
【００３２】
図４のコンテンツの右下には、左右上下のカーソルキー３５Ｌ，３５Ｒ，３５Ｕ，３５Ｄに割り当てられた機能が模式図によって示されている。具体的には、左右上下のカーソルキーの配置に対応した４つの円が表示されるとともに、各内の中に対応するカーソルキーに割り当てられた機能が記述されている。
【００３３】
この例では、左カーソルキー３５Ｌに表示ページを前ページに切り換えるためのキーとしての機能が割り当てられ、右カーソルキー３５Ｒに表示ページを次ページに切り換えるためのキーとしての機能が割り当てられ、上カーソルキー３５Ｕに表示ページをインデックスページに切り換えるためのキーとしての機能が割り当てられ、下カーソルキー３５Ｄに音声再生指令を入力するためのキーとしての機能が割り当てられている。なお、どのカーソルキーにどの機能を割り当てるかは操作ガイドの各ページ毎に予め決められており、その内容は各ページのＨＴＭＬコンテンツデータおよびシステムコントローラ２０のプログラムに反映されている。
【００３４】
図４に示す１ページ目のコンテンツが表示されている状態において、リモコン送信機３０の左カーソルキー３５Ｌが押下げられると、前ページ、この場合はインデックスページが表示される。また、リモコン送信機３０の右カーソルキー３５Ｒが押下げられると、次のページ、この場合は２ページ目が表示される。また、リモコン送信機３０の上カーソルキー３５Ｕが押下げられると、インデックスページが表示される。
【００３５】
また、リモコン送信機３０の下カーソルキー３５Ｄが押下げられると、このページに対応する音声ガイダンスが再生出力される。具体的には、リモコン送信機３０の下カーソルキー３５Ｄが押下げられると、システムコントローラ２０は、ハードディスク制御部２３に対して、該当する音声ガイダンスデータの取得要求を行なう。ハードディスク制御部２３は、ハードディスク２４から該当する音声ガイダンスデータを取得してシステムコントローラ２０に与える。システムコントローラ２０は、取得した音声ガイダンスデータを音声信号に変換し、音声処理回路９に送る。音声処理回路９に送られた音声信号は、音声処理回路９および音声出力回路１０を介してスピーカ１１から音声出力される。
【００３６】
”Ａの設定方法について”の操作ガイドは、５ページ分のコンテンツから構成されているが、１ページ目から４ページ目までのコンテンツにおいては、左右上下のカーソルキー３５Ｌ，３５Ｒ，３５Ｕ，３５Ｄそれぞれに割り当てられる機能は、各ページにおいて同じである。
【００３７】
図５は、”Ａの設定方法について”の操作ガイドの最終ページである５ページ目のコンテンツを示している。
【００３８】
図５のコンテンツの例においては、左側の矩形枠で囲まれた模式図と、右側のリモコン送信機３０上のキーを示す模式図と、”決定キーを押下すると、設定を完了します。”の説明文とによって、操作説明が行なわれている。
【００３９】
図５のコンテンツの右下には、１ページ目と同様に左右上下のカーソルキー３５Ｌ，３５Ｒ，３５Ｕ，３５Ｄに割り当てられた機能が模式図によって示されている。
【００４０】
図５のコンテンツは、最終ページであるため、表示ページを次ページに切り換えるためのキーは不要である。そこで、この例では、左カーソルキー３５Ｌに表示ページを前ページに切り換えるためのキーとしての機能が割り当てられ、右カーソルキー３５Ｒに表示ページをインデックスページに切り換えるためのキーとしての機能が割り当てられ、下カーソルキー３５Ｄに音声再生指令を入力するためのキーとしての機能が割り当てられている。また、上カーソルキー３５Ｕには、この操作ガイドで説明されたＡ設定を実際に行なうためのメニュー画面（図５のコンテンツで表示されている設定画面に対応する実際の設定画面）に遷移させるためのキーとしての機能が割り当てられている。
【００４１】
図５に示す最終ページのコンテンツが表示されている状態において、リモコン送信機３０の上カーソルキー３５Ｕが押下げられると、表示画面が図６に示すようなＡ設定を実際に行なうための設定画面に遷移せしめられる。
【００４２】
上記実施例によれば、受信機操作ガイドのような複数ページからなるコンテンツを閲覧する場合に、カーソルキーの単純な操作でページの切り換えを行なえるようになるので、コンテンツによって説明される機器の操作方法の理解に集中でき、短時間で操作方法を習得することが可能となる。また、音声ガイダンスの再生指令をカーソルキーの単純な操作で入力できるので、操作性が良くなる。さらに、最終ページのコンテンツが表示されている状態において、所定のカーソルキーを操作することにより、そのコンテンツで説明のあった設定等を行なうためのメニュー画面（設定画面）に遷移させることができるので、そのコンテンツで説明のあった設定等が容易に行なえるようになる。
【図面の簡単な説明】
【００４３】
【図１】デジタルテレビ放送受信機の構成を示すブロック図である。
【図２】リモコン送信機３０の一部分を示す模式図である。
【図３】操作ガイドキー３７が押下られたときにモニタ８に表示される受信機操作ガイドのインデックスページの例を示す模式図である。
【図４】”Ａの設定方法について”の項目の操作説明の１ページ目のコンテンツの例を示す模式図である。
【図５】”Ａの設定方法について”の操作説明の最終ページである５ページ目のコンテンツの例を示す模式図である。
【図６】Ａの設定を実際に行なうための設定画面を示す模式図である。
【符号の説明】
【００４４】
２０  システムコントローラ
２１  不揮発性メモリ（プログラムメモリ）
２２  揮発性メモリ
２３  ハードディスク制御部
２４  ハードディスク
２６  ＯＳＤ表示回路
【図１】
2007243746.tif 000003
【図２】
2007243746.tif 000004
【図３】
2007243746.tif 000005
【図４】
2007243746.tif 000006
【図５】
2007243746.tif 000007
【図６】
2007243746.tif 000008